(57)【要約】【課題】パチンコ機におけるデモ表示を改善する。【解決手段】画像制御基板４０は図柄停止コマンドの受信（Ｓ４１１：ＹＥＳ）で特別図柄及びデモ図柄の変動を停止（確定図柄を表示）させ、入れ替えフラグがセットされているか否かを判断する（Ｓ４１２）。入れ替えフラグがセットされている場合には「本番」、「デモ」の表示を入れ替えて表示させる（Ｓ４１３）。特別図柄の変動表示とデモ図柄の変動表示とが上表示域４１と下表示域４２とで並行的に行われるのが、どちらが特別図柄であるかは最終的な確定図柄の表示画面を見るまで分からない。特別図柄が停止しても入れ替えになるのではないかと思い、最後まで期待感を維持して表示に注目する。【選択図】　図９
2004129770.tif 000002
【特許請求の範囲】
【請求項１】
遊技球が始動領域に進入したことに起因して当たり外れを抽選する抽選手段と、該抽選の結果を示す特別図柄を決める図柄決定手段と、画像を表示する画像表示手段と、該画像表示手段を制御して特別図柄を変動表示させてから前記図柄決定手段が決めた前記特別図柄を確定表示させる表示制御手段とを備え、前記抽選手段による抽選が当たりであったことを必須条件として遊技者に有利な遊技状態となる弾球遊技機において、
複数のデモ表示パターンから１つのデモ表示パターンを選択するデモパターン選択手段と、
前記特別図柄を表示するための特別図柄表示域と前記抽選手段による抽選結果とは無関係のデモ図柄を表示するためのデモ表示域の表示位置を決める表示位置決定手段とを備え、
前記画像表示手段の画面を前記表示位置決定手段の決定に従って前記特別図柄表示域と前記デモ表示域とに分割表示させて、前記特別図柄表示域において前記特別図柄の変動表示を行わせ前記デモ表示域においては前記デモパターン選択手段が選択した前記デモ表示パターンで前記デモ図柄の変動表示を行わせる
ことを特徴とする弾球遊技機。
【請求項２】
請求項１記載の弾球遊技機において、
少なくとも前記特別図柄及び前記デモ図柄が確定表示されるまでには前記特別図柄表示域及び前記デモ表示域にそれぞれの域名表示を表示する構成とし、
前記特別図柄表示域と前記デモ表示域との入れ替え表示を行うか否かを決める入れ替え制御手段を備え、
前記入れ替え制御手段により前記入れ替えを行うと決められているときは該決定に応じて前記特別図柄表示域と前記デモ表示域とを入れ替わらせるか、前記特別図柄表示域の域名表示と前記デモ表示域の域名表示とを入れ替わらせる制御を行う
ことを特徴とする弾球遊技機。
【請求項３】
請求項１又は２記載の弾球遊技機において、
前記特別図柄の１回の変動に対して前記デモ図柄の変動表示を１回行うことを特徴とする弾球遊技機。
【請求項４】
請求項３記載の弾球遊技機において、
前記特別図柄の変動表示と前記デモ図柄の変動表示とがほぼ同時に開始されることを特徴とする弾球遊技機。
【請求項５】
請求項１から４のいずれか１項に記載の弾球遊技機において、
前記特別図柄の変動中に行われるデモ表示は、前記特別図柄の変動パターンと一部又は全てが同じであることを特徴とする弾球遊技機。
【請求項６】
請求項１から５のいずれか１項に記載の弾球遊技機において、
前記特別図柄表示域及び前記デモ表示域の域名表示は、前記特別図柄の変動開始から前記特別図柄と前記デモ図柄の双方が確定表示されるまで表示されることを特徴とする弾球遊技機。
【発明の詳細な説明】
【０００１】
【発明の属する技術分野】
本発明は、弾球遊技機の技術分野に属する。
【０００２】
【従来の技術】
現在のパチンコ遊技機（第１種遊技機）は、図柄始動口に遊技球が入賞すると図柄が変動し該図柄が予め定められた組合せで停止すると大入賞口が所定回数開放され遊技者に有利な大当り状態になる。
【０００３】
一般的な図柄の変動表示は、変動開始時には高速に図柄が変動し所定時間経過後に低速変動になりその後、各図柄が１個ずつ停止されていく。現在の遊技機で一番多い種類としては、図柄が３個あり、該３個の図柄が同じ図柄で揃うと大当りになる。しかし、中には図柄が９個あったり、大当たりか外れかを表示する図柄（確定図柄）が本当は３個なのに６個の疑似図柄を用いて全体として９個あるように見せている遊技機も存在する。
【０００４】
また、現在では、遊技者に大当りを期待させるために、特定のリーチになるとキャラクタが出現し、なんとか特別図柄を揃えようと頑張っている表示や特別図柄が小さくなるか特別図柄が消えて、その代わりにキャラクタが競争している演出など特別図柄とは関係ない表示が行われる。これを一般的にスーパーリーチと呼び慣わし、その際の特別図柄以外の表示（キャラクタなど）を擬似図柄、擬似変動と言い、そのキャラクタが競争に勝ったりすると特別図柄が揃い大当りになるといった演出が行われている。また、特定のリーチになると画面が複数に分割され、分割された分だけそれぞれ異なったスーパーリーチが行われ、その中の一つでも図柄が揃ったら大当りになるといった演出も行われている。
【０００５】
また、遊技者に大当りを期待させる演出として、変動開始時、高速変動中、低速変動中やリーチになった瞬間あるいはリーチ途中に突然キャラクタを出現させるいわゆる大当り予告、リーチ予告といったことも行っている。
また、遊技者が、遊技していない状態であったり、遊技球を発射していても遊技球が始動口に入賞できない状態が続くと、表示装置には、一般的にデモ画面と言われる表示が行われる。このデモ画面は、その台の名前を表示したり、登場するキャラクタの物語を表示したり、スーパーリーチなどを表示して遊技者にその台に興味抱かせたり、どのようなスーパーリーチになれば大当りになりやすいかといったことを遊技者に理解させるための表示を行っている。
【０００６】
【特許文献１】
特開２００２−１３６７１８号公報（段落００３７−００４２、図１３）
【特許文献２】
特開２０００−１６７２１９号公報（段落００１０−００１４、図６）
【０００７】
【発明が解決しようとする課題】
例えば、本当の確定図柄が３個で擬似図柄を６個使用し確定図柄を９個あるように見せるタイプのものは、主基板で決定した３個の確定図柄を見て該確定図柄に付随する図柄を表示しているだけ（例えば横スクロール表示で確定図柄が５だとしたらその両隣に疑似図柄である４と６を表示しているだけ）で、確定図柄が同じであれば、付随する擬似図柄はいつも同じであり、停止するタイミングも同じである。つまり、３図柄を９図柄に見せていても所詮は１つの変動にすぎなく、図柄の配置によっては見かけ上ダブルリーチになることがあるが所詮チャンスは１回のみであり、遊技者もそのようにしか感じない。
【０００８】
また、スーパーリーチなどは、リーチになってからしか始まらないので遊技者は、リーチにならなかった時点で、現在変動しているものに関して大当りの期待を無くしてしまう。同様に大当り予告も出現するタイミングが幾つかあったとしても、その複数のタイミングに出なかった時点で大当りの期待が薄れてしまう。
【０００９】
また、特開２００２−１３６７１８号公報に開示されるように、一つの始動口に遊技球が１個入賞すると、２つの変動が開始され、該２つの変動のうちどちらかの変動で図柄が揃うと大当りになるというものも提案されている。しかし、この発明では、２つの変動ともリーチにならない場合がある。
【００１０】
一方、現在のデモ表示は、１、２種類しかないので繰り返し見させられる遊技者は見飽きてしまう。特開２０００−１６７２１９号公報には、デモ表示が図柄変動、大当り中に表示され、該デモ表示は、大当り回数によって変化していく構成が開示されているが、デモ表示は図柄変動などの背景画像に過ぎず、もの足りないものであった。
【００１１】
なお、本願の出願人によって、特別図柄の変動中にデモ表示を行う発明が出願されている（特願２００１−１２１０３８号）。この発明は、特別図柄の変動と同時にリーチ発展図などをデモ表示するもので、例えば、特別図柄でスーパーリーチになった場合、そのスーパーリーチがどう変化（発展）すれば大当りになるかをデモ表示するもので、その台での遊技に慣れていない人にとっては分かり易い表現が可能になる。しかし、その台をある程度遊技すれば、遊技内容（表示演出）が分ってしまい、かえってそのデモ画面が邪魔に思える人もでてくる可能性がある。
【００１２】
【課題を解決するための手段および発明の効果】
請求項１記載の弾球遊技機は、遊技球が始動領域に進入したことに起因して当たり外れを抽選する抽選手段と、該抽選の結果を示す特別図柄を決める図柄決定手段と、画像を表示する画像表示手段と、該画像表示手段を制御して特別図柄を変動表示させてから前記図柄決定手段が決めた前記特別図柄を確定表示させる表示制御手段とを備え、前記抽選手段による抽選が当たりであったことを必須条件として遊技者に有利な遊技状態となる弾球遊技機において、
複数のデモ表示パターンから１つのデモ表示パターンを選択するデモパターン選択手段と、
前記特別図柄を表示するための特別図柄表示域とデモ図柄を表示するためのデモ表示域の表示位置を決める表示位置決定手段とを備え、
前記画像表示手段の画面を前記表示位置決定手段の決定に従って前記特別図柄表示域と前記デモ表示域とに分割表示させて、前記特別図柄表示域において前記特別図柄の変動表示を行わせ前記デモ表示域においては前記デモパターン選択手段が選択した前記デモ表示パターンで前記デモ図柄の変動表示を行わせる
ことを特徴とする。
【００１３】
この弾球遊技機では、遊技球が始動領域（例えば始動入賞口、始動ゲート）に進入したことに起因して抽選手段が当たり外れを抽選する。この抽選は、始動領域への進入タイミングにおける乱数カウンタの値に基づいて行われ、該値が当たり値と一致なら当たり、そうでなければ外れとされる。図柄決定手段は、この抽選の結果を示す特別図柄を決める。通常は、抽選が当たりなら例えば７７７のように３つの図柄が揃った特別図柄（当たり図柄）を決め、外れのときは当たり図柄以外の特別図柄（外れ図柄）を決める。表示制御手段は、画像を表示する画像表示手段を制御して特別図柄を変動表示させてから図柄決定手段が決めた特別図柄（当たり図柄又は外れ図柄）を確定表示させる。そして、抽選手段による抽選が当たりであると当たり図柄の確定表示後に（遊技者に認識される現象としては当たり図柄が確定表示されたことにより）、遊技者に有利な遊技状態となる（例えば周知の大当たり遊技が実行される）。
【００１４】
更に、この弾球遊技機においては、デモパターン選択手段が複数のデモ表示パターンから１つのデモ表示パターンを選択し、表示位置決定手段が前記特別図柄を表示するための特別図柄表示域とデモ図柄を表示するためのデモ表示域の表示位置を決めると、前記画像表示手段の画面を前記表示位置決定手段の決定に従って前記特別図柄表示域と前記デモ表示域とに分割表示させて、前記特別図柄表示域において前記特別図柄の変動表示を行わせ前記デモ表示域においては前記デモパターン選択手段が選択した前記デモ表示パターンで前記デモ図柄の変動表示を行わせるから、デモ図柄の変動表示すなわちデモ画面と特別図柄の変動とを一緒に見られるので、時間の無駄がない。
【００１５】
上記の制御を行うには、前記画像表示手段の画面を前記表示位置決定手段の決定に従って前記特別図柄表示域と前記デモ表示域とに分割表示させて、前記特別図柄表示域において前記特別図柄の変動表示を行わせ前記デモ表示域においては前記デモパターン選択手段が選択した前記デモ表示パターンで前記デモ図柄の変動表示を行わせるデモ制御手段を備えるとよい。
【００１６】
また、デモパターン選択手段が複数の中から選択したデモ表示パターンでデモ図柄の変動表示（デモ表示）を行うので、同じデモ表示ばかりになって遊技者が飽きるおそれはない。
複数のデモ表示パターンから１つのデモ表示パターンを選択する手法に限定はないが、例えば遊技球が始動領域に進入したタイミングにおけるパターン選択用の乱数カウンタの値に基づいて選択したり、遊技球が始動領域に進入したタイミングにおける乱数の値によって特別図柄の変動パターン及びデモ図柄の表示パターンを決定する等の構成が可能である。また、特別図柄の当たり外れ、特別図柄の確定図柄、特別図柄の変動パターンを参照してデモ表示パターンを決定してもよい。
【００１７】
表示位置決定手段による特別図柄表示域とデモ表示域の表示位置の決定も、遊技球が始動領域に進入したタイミングにおける表示位置決定用の乱数カウンタの値に基づいて行えばよい。
本発明では、表示位置決定手段の決定に従って画像表示手段の画面を特別図柄表示域とデモ表示域とに分割表示し、特別図柄表示域において特別図柄の変動表示をデモ表示域においてデモ図柄の変動表示を行う。つまり、特別図柄表示域とデモ表示域の表示位置が各回毎に一定しないので、特別図柄表示域（特別図柄）とデモ表示域（デモ図柄）とを確実には判別できない。したがって、デモ表示として各種のリーチ表示、例えば通常と全く同じスーパーリーチを頻繁に表示したり、スーパーリーチだけを表示すれば、ひょっとしたらこのスーパーリーチが特別図柄ではないかと期待させることができ、デモ表示が行われている間は常に大当たりへの期待感が持続するから、初心者の人、初心者でない人とも同様に期待感を持続させることができる。
【００１８】
また、デモ表示として各種のリーチ表示を行うだけでも、初心者でもリーチ表示についてよく分るようになり安心して遊技できるし、「ああ、こうなればよかったんだ〜」など楽しく遊技できる。また、通常あまり出現しないスーパーリーチを表示すれば、それだけでも遊技者を楽しませることができる。
【００１９】
ところで、現在多くの弾球遊技機で行われている、特定のリーチになった際にキャラクタが出てきて例えば競争するような擬似変動の場合には、キャラクタが競争に勝ったら特別図柄が揃うというように現在変動している特別図柄の表示結果と関連（リンク）しているが、本発明におけるデモ図柄の表示（デモ表示）は特別図柄とは全く関連しておらず、たとえデモ表示でデモ図柄が揃っても（当たり図柄と同じ表示になっても）特別図柄にはなにも影響がない。
【００２０】
また、例えば遊技者が遊技していない状態であったり、遊技球を発射していても遊技球が始動口に入賞できない状態が続いて特別図柄の変動表示が行われていないときには、従来と同様に全画面を使うかデモ表示域だけを使って、遊技機の名前やキャラクタの物語などを表示してもよい。ただし、デモ表示のみ行う場合には、スーパーリーチは誤解を招く場合があるので避けたほうがよい。
【００２１】
請求項２記載のように、請求項１記載の弾球遊技機において、少なくとも前記特別図柄及び前記デモ図柄が確定表示されるまでには前記特別図柄表示域及び前記デモ表示域にそれぞれの域名表示を表示する構成とし、前記特別図柄表示域と前記デモ表示域との入れ替え表示を行うか否かを決める入れ替え制御手段を備え、前記入れ替え制御手段により前記入れ替えを行うと決められているときは該決定に応じて前記特別図柄表示域と前記デモ表示域とを入れ替わらせるか、前記特別図柄表示域の域名表示と前記デモ表示域の域名表示とを入れ替わらせる制御を行う構成とすれば、デモ表示として通常と全く同じスーパーリーチを頻繁に表示したり、スーパーリーチだけを表示する場合に、特別図柄の変動とデモ表示がいつ入れ替わるのかわからないので、デモ表示が行われている間は常に大当たりへの期待感が持続するから、初心者の人、初心者でない人とも同様に期待感を持続させることができる。
【００２２】
なお、前記入れ替え制御手段により前記入れ替えを行うと決められているときは該決定に応じて前記特別図柄表示域と前記デモ表示域とを入れ替わらせるか、前記特別図柄表示域の域名表示と前記デモ表示域の域名表示とを入れ替わらせる制御は、上述のデモ制御手段が行う構成にするとよい。
【００２３】
また、域名表示を入れ替わらせる場合には少なくとも特別図柄及びデモ図柄が確定表示されるまでには特別図柄表示域及びデモ表示域にそれぞれの域名表示を表示させるので、確定表示された特別図柄をデモ図柄と間違えるおそれはない。入れ替え制御手段による特別図柄表示域とデモ表示域との入れ替え表示を行うか否かの決定は、遊技球が始動領域に進入したタイミングにおける入れ替え決定用の乱数カウンタの値に基づいて行えばよい。
【００２４】
特別図柄表示域とデモ図柄表示域との入れ替え表示（表示域を相互に入れ替わらせるか域名表示を相互に入れ替わらせる）のタイミングや手法に特段の限定はなく、また２つの表示域が常に分かれている構成でもよいし、時にはどちらか一つの領域だけになってもよい。両表示域のサイズ（広さ）も、一方（例えば特別図柄表示域）が大きくて他方が小さい関係でもよいし、ほぼ同じにしてもよいし、両者の大小関係を変化させてもよい。例えば２つの表示域の大きさを少しずつ変化させることで入れ替わりの予告とすることもできる。
【００２５】
なお、域名表示は文字によって例えば「本番」「本物」「特図」（以上、特別図柄表示域）、「デモ」、「偽物」、「参考」（以上、デモ表示域）等と表示してもよいし、図形や記号等を用いてもよい。要は特別図柄表示域とデモ表示域とを見分けること（これらを推測させる場合も含めて）が可能な表示であればよく、必ずしも名称を表示する必要はない。この域名表示は常に表示してもよいし、適宜の期間やタイミングに限って表示してもよい。ただし、最終的な図柄確定の場面では必ず表示されるのが望ましい。
【００２６】
上述したように特別図柄表示域とデモ図柄表示域との入れ替えのタイミングや手法に特段の限定はないが、特別図柄とデモ図柄の一方が停止表示された後に特別図柄表示域とデモ表示域との入れ替え又は域名表示の入れ替えを行えば、遊技者は最後までどちらが特別図柄の変動か分からなくなり、最後の最後まで当るかもしれないといった期待感を持続させ、２つの変動を最後まで楽しめる。
【００２７】
特別図柄の変動開始とデモ図柄の変動開始とは必ずしも同時である必要はないが、少なくとも両方が変動中となる期間を設ける必要がある。
例えば、特別図柄が変動開始した後に少したってデモ図柄の変動が開始されれば、遊技者には、あきらかに後から変動したほうがデモ図柄だと分かってしまうので、このような構成は避ける方がよい。
【００２８】
しかし、表示方法を変更すれば、特別図柄の変動開始後に少したってからデモ図柄の変動を開始しても、どちらがデモ図柄かわからないようにすることができる。例えば、特別図柄がリーチになったら、デモ図柄の変動を開始すれば、遊技者には、どちらがデモ表示か分からなくすることも可能である。また、特別図柄が高速変動から低速変動に変わった瞬間にデモ表示を行う事も考えられる。つまり、特別図柄の変動表示において何らかのイベントが発生したタイミングでデモ図柄の変動表示を開始すればよいのである。ただし、このような構成であると、例えば特別図柄がリーチにならなければデモ表示を行えないことになるので、その点が弱点となる。
【００２９】
これらのことから、請求項４記載のように特別図柄の変動開始とデモ図柄の変動開始をほぼ同時（遊技者が認識できない程度の時間差の範囲内）とするのが望ましい。
ところで、１回の特別図柄の変動中に何回もデモ表示を行ったり、１回のデモ表示中に何回も特別図柄の変動を行なった場合には、入れ替え表示が不可能ではないが表示が不自然になる。また、入替え表示を行う時だけ、１回の特別図柄の変動に対して１回のデモ表示を行う構成では、表示は不自然にはならないが遊技者に入替え表示が行われることが事前に分かってしまい効果がなくなる。或いは、特定時のみデモ表示を行う構成では、大当たり予告やリーチ予告と同様なものだと思われてしまうおそれがある。
【００３０】
請求項３記載の弾球遊技機は、請求項１又は２記載の弾球遊技機において、前記特別図柄の１回の変動に対して前記デモ表示を１回行うことを特徴とする。つまり、特別図柄が１回変動する毎にデモ図柄も１回変動して、両方の変動が終了（確定表示）するまで次の特別図柄の変動を（デモ表示も）開始しない。
【００３１】
両者の確定前に特別図柄表示域とデモ表示域とが入れ替え表示される（特別図柄の表示とデモ図柄の表示が入れ替わるか域名表示が入れ替わる）可能性があるため、結局のところどちらがデモ図柄なのか特別図柄なのか遊技者には確定するまで分からないから、上記のスーパーリーチをデモ表示する場合のような期待感を最後まで持続させる効果がきわめて良好になる。
【００３２】
このことから明らかであるが、特別図柄の変動時間とデモ図柄の変動の時間が同じである必要はないし、特別図柄の変動時間よりデモ図柄の変動時間を短くする必要もない。
請求項５記載の弾球遊技機は、請求項１から４のいずれか１項に記載の弾球遊技機において、前記特別図柄の変動中に行われるデモ表示は、前記特別図柄の変動パターンと一部又は全てが同じであることを特徴とする。デモ表示の変動パターンを特別図柄の変動パターンと一部又は全てが同じにすることで、両者の見分けが困難になり、デモ表示による大当たりへの期待感を高めることができる。
【００３３】
請求項６記載の弾球遊技機は、請求項１から５のいずれか１項に記載の弾球遊技機において、前記特別図柄表示域及び前記デモ表示域の域名表示は、前記特別図柄の変動開始から前記特別図柄と前記デモ図柄の双方が確定表示されるまで表示されることを特徴とする。
【００３４】
特別図柄の変動表示とデモ図柄の変動表示とが並列的に行われ、またそれぞれの表示域又は域名表示が入れ替わることがあるので、どちらが特別図柄なのかデモ図柄なのか分かりにくくなるおそれがある。
しかし、請求項６の構成では、域名表示が特別図柄の変動開始から特別図柄とデモ図柄の双方が確定表示されるまで表示されるのでこの紛らわしさを解消できる。勿論、域名表示が入れ替わることはあるが、それでも表示域を明示する機能に変わりはない。なお、域名表示を適宜の期間やタイミングに限って表示してもよい。
【００３５】
【発明の実施の形態】
次に、本発明のいくつかの実施例により発明の実施の形態を説明する。
【００３６】
【実施例１】
図１に示すのは、弾球遊技機の一種であるパチンコ機５０の正面図である。この図１に示すように、本実施例のパチンコ機５０は、長方形の外枠５１と前面枠５２とからなる筐体にて構成の各部を保持する構造である。なお、パチンコ機５０には、プリペイドカードの読み書き等を行うためのプリペイドカードユニット（ＣＲユニット）が付属することがある。
【００３７】
前面枠５２は、左端上下のヒンジ５４により外枠５１に対し開閉可能に取り付けられており、通常は図示するように閉じた状態とされる。
前面枠５２には、窓状のガラス枠６０が前面枠５２に対して開放可能に取り付けられている。このガラス枠６０には板ガラス６１が二重にはめ込まれ、板ガラス６１の奥には前面枠５２に保持された遊技盤１０が収納されている。
【００３８】
ガラス枠６０の下方には上皿５５が配され、前面枠５２に対して開放可能に取り付けられている。
上皿５５の下方にては下皿６３が前面枠５２に固定され、下皿６３の右側には発射ハンドル６４が取り付けられている。発射ハンドル６４を時計回りに回動操作すれば発射装置（図示略）が稼働して、上皿５５から供給された遊技球を遊技盤１０に向けて発射する。
【００３９】
図２に示すように、遊技盤１０には外レール１１と内レール１２とによって囲まれた略円形の遊技領域１３が形成されている。
遊技領域１３の中央部にはセンターケース１４が装着されており、そのセンターケース１４にて取り囲まれるようにして図柄表示装置１５（全体の図示は省略）のＬＣＤパネル１６ａが配されている。
【００４０】
センターケース１４には、周知のものと同様にワープ入口、ワープ樋、ステージなどが設けられている。また、上部（ＬＣＤパネル１６ａの上方）には、４個のＬＥＤが保留表示器１７として装着されている。
センターケース１４の左右上方にはランプ風車１９が設置され、それらの下方には風車２０が設置されている。また、風車２０の斜め上方にはゲート（通過口）２１が配されている。
【００４１】
センターケース１４の直下にはチューリップ式の普通電動役物２２が設置されている。この普通電動役物２２は始動領域となる。普通電動役物２２には普通図柄表示器２９が付属し、遊技球がゲート２１を通過したことに起因する普通図柄抽選で当たりとなると（普通図柄表示器２９に当たりの普通図柄が表示されると）設定時間だけ開放される。本実施例ではこの設定時間は、通常確率中は約０．３秒であるが高確率中は約２．６秒とされる。ただし、１開放中に３個の入賞があると、前記時間に達しなくとも開放が終了する。
【００４２】
これらゲート２１の下方には普通入賞口２４が配されている。また、普通電動役物２２の下方には、開閉板２５ａにて開閉される大入賞口２５と左右の普通入賞口２６とを備える大入賞装置２７が配され、盤面最下部にはアウト口２８が設けられている。
【００４３】
なお、遊技盤１０には、多数の遊技釘が植設されているが、これらは周知であるので図示と説明を省略する。
本実施例のパチンコ機の制御系は図３の通りに構成されている。
このパチンコ機は、主制御基板３０、賞球制御基板３２、発射制御基板３４、音制御基板３６、ランプ制御基板３８及び画像制御基板４０を備えている。詳細の図示は省略するが、これらの制御基板はいずれもＣＰＵ、ＲＯＭ、ＲＡＭ、入力ポート、出力ポート等を備えている。また、主制御基板３０には各種の抽選や選択に使用する乱数カウンタ（複数）が備えられ、音制御基板３６には音源ＩＣが備わっている。
【００４４】
主制御基板３０は抽選手段、図柄決定手段、デモパターン選択手段、表示位置決定手段及び入れ替え制御手段として機能するが、その詳細は後述する。
主制御基板３０には、下球皿が満杯状態になったことを検出する満タンスイッチ（満タンＳＷ）、球タンクが空状態になったことを検出する補給スイッチ（補給ＳＷ）、発射ハンドルに遊技者が接触（操作）していることを検出するタッチスイッチ（タッチＳＷ）、遊技球が大入賞口２５の内部に設けられている特定領域を通過したことを検出するＶスイッチ（ＶＳＷ）、大入賞口２５への入賞球を検出するカウントスイッチ（カウントＳＷ）、普通入賞口２４、２６への入賞球をそれぞれ検出する賞球払い出しスイッチ（賞球払い出しＳＷ）、普通電動役物２２への入賞球を検出する第１種始動口スイッチ（第１種始動口ＳＷ）、遊技球がゲート２１を通過したことを検出する普通図柄作動スイッチ（普通図柄作動ＳＷ）等の検出信号が入力される。
【００４５】
主制御基板３０は搭載しているプログラムに従って動作して、上述の検出信号などに基づいて遊技の進行に関わる各種のコマンドを生成し、賞球制御基板３２、発射制御基板３４、音制御基板３６、ランプ制御基板３８、画像制御基板４０に出力したり、普通電動役物２２を開閉する普通役物ソレノイド、大入賞装置２７の特定領域を開閉するＶソレノイド及び開閉板２５ａを駆動する大入賞口ソレノイドの動作を制御し、また外部接続端子基板を介して外部（ホールコンピュータ）に入賞や大当たり等の情報を出力する。
【００４６】
賞球制御基板３２は、主制御基板３０から送られてくるコマンドに応じて玉切モータを稼働させて賞球を払い出させる。また、ＣＲユニットが付属する場合は、ＣＲ精算表示基板を介して貸出要求、精算要求の操作信号を受け付け、ＣＲユニットとデータを送受し、貸出要求信号に応じて玉切モータを稼働させて貸球を払い出させ、ＣＲユニットに挿入されているプリペイドカードの残高表示を制御する。
【００４７】
発射制御基板３４は、主制御基板３０から送られてくるコマンド（タッチＳＷの信号や遊技状況を反映している）、発射ハンドルの回動信号及び発射停止スイッチ（発射停止ＳＷ）の信号に基づいて発射モータを制御して遊技球を発射及び停止させ、タッチランプの点灯を制御する。
【００４８】
音制御基板３６は、主制御基板３０から送られてくるコマンドに応じて音声信号を生成し、その音声信号にてスピーカを駆動して音声を出力する。
ランプ制御基板３８は、主制御基板３０から送られてくるコマンドに応じて保留表示器１７及び普通図柄表示器２９の表示を制御するほか、他の各種ＬＥＤや各種ランプの点灯、消灯等を制御する。
【００４９】
表示制御手段及びデモ制御手段として機能する画像制御基板４０は、ＬＣＤパネルユニット１６及び付属ユニットと共に図柄表示装置１５を構成している。上述のＬＣＤパネル１６ａは画像表示手段となるＬＣＤパネルユニット１６の一部である。画像制御基板４０は、主制御基板３０から送られてくるコマンドに応じてＬＣＤパネルユニット１６すなわちＬＣＤパネル１６ａの表示を制御する。
【００５０】
次にパチンコ機５０の動作を説明する。
このパチンコ機５０の遊技形態は、公知の第１種パチンコ機と同様であるので、これについては概略のみを説明する。
主制御基板３０は、図４に示す入力チェック処理において、第１種始動口スイッチからの入賞検出信号に基づいて普通電動役物２２に入賞したか否かを判断し（Ｓ１０１）、肯定判断（始動入賞発生）なら保留記憶が満杯か否かを判断する（Ｓ１０２）。保留記憶が満杯でなければ（Ｓ１０２：ＮＯ）、始動入賞発生のタイミングで特別図柄抽選用の乱数カウンタ等から取得した乱数値を記憶して（Ｓ１０３）、リターンする。Ｓ１０１で否定判断（始動入賞発生せず）又はＳ１０２で肯定判断（保留満杯）のときはリターンする。
【００５１】
図５に示す当否判定処理では、主制御基板３０は、まず条件装置の作動中（いわゆる大当たり中）か否かを判断し（Ｓ２０１）、条件装置の作動中なら以下の処理は行わずにリターンする。
条件装置の作動中でなければ（Ｓ２０１：ＮＯ）、特別図柄の変動中か否かを判断し（Ｓ２０２）、変動中でなければ（Ｓ２０２：ＮＯ）確定図柄の表示中か否かを判断し（Ｓ２０３）、確定図柄の表示中でなければ（Ｓ２０３：ＮＯ）保留記憶があるか否かを判断する（Ｓ２０４）。保留記憶がなければ（Ｓ２０４：ＮＯ）、以下の処理は行わずにリターンする。
【００５２】
保留記憶すなわち上述のＳ１０３で特別図柄抽選用の乱数カウンタから取得して記憶した当否抽選乱数があれば（Ｓ２０４：ＹＥＳ）、確変フラグが立っているか否かに応じて（Ｓ２０５）、当否抽選乱数を通常テーブル（Ｓ２０６）又は確変テーブル（Ｓ２０７）の当たり値と照合して大当たりか否かを判定する（大当たり抽選、抽選手段）。なお、確変テーブルの当たり値の個数は通常テーブルよりも多いので（約５倍）、大当たりと判定される確率が高い（高確率）。
【００５３】
主制御基板３０は、上記の大当たり抽選が当たりであれば（Ｓ２０８：ＹＥＳ）、確定図柄として大当たり図柄を決めて（Ｓ２０９）、特別図柄の変動開始から確定表示までの変動時間（変動パターン）を決める（Ｓ２１０）。一方、大当たり抽選が外れであれば（Ｓ２０８：ＮＯ）、確定図柄として外れ図柄（当たり図柄以外）を決め（Ｓ２１１）、変動パターンを決める（Ｓ２１２）。
【００５４】
Ｓ２１０又はＳ２１２に続いては、上述のＳ１０３で入れ替え判定用の乱数カウンタから取得して記憶した入れ替え判定乱数に基づいて入れ替えするか否かを判定し（Ｓ２１３）、入れ替え実行なら（Ｓ２１４：ＹＥＳ）入れ替えフラグをセットする（Ｓ２１５）。Ｓ２１３〜Ｓ２１５は入れ替え制御手段に該当するが、本実施例では入れ替えフラグに応じて特別図柄表示域とデモ表示域の位置も決まるので位置決定手段ともなっている。
【００５５】
次に、上述のＳ１０３でデモパターン決定用の乱数カウンタから取得して記憶したデモパターン乱数に基づいて、複数のデモパターンから１つのデモパターンを選択する（Ｓ２１６、デモパターン選択手段）。
この実施例では、デモパターンを、特別図柄には関係なく、始動入賞時に取得した乱数の値によって決定しているが、例えば特別図柄が大当たり図柄か否か、リーチか否か、どんな図柄が確定図柄なのか等に応じてデモパターンを決めてもよい、また、入れ替えの有無も始動入賞時に取得した乱数の値によって決定しているが、乱数によらずに、例えば特定の変動パターンになったときに入れ替えを実行するようにしてもよい。
【００５６】
そして、Ｓ２０９で決めた大当たり図柄並びにＳ２１０で決めた変動パターン又はＳ２１１で決めた外れ図柄並びにＳ２１２で決めた変動パターンとＳ２１６で決めたデモパターンを指定するデータ及び入れ替えフラグが含まれた変動開始コマンドを画像制御基板４０に送信する（Ｓ２１７）。画像制御基板４０は、変動開始コマンドを受信するとＬＣＤパネルユニット１６を制御してＬＣＤパネル１６ａに特別図柄を変動表示させてから確定図柄で確定表示させ、またデモ図柄の変動表示と確定表示もさせるが（表示制御手段）、その詳細は後述する。
【００５７】
前述のＳ２０２で肯定判断（変動表示中）のときは、図６に示すように特別図柄とデモ図柄の両方の変動時間（上述の変動パターン、デモパターンに対応して変動時間が決まっている）が終了したか否かを判断し（Ｓ２２１）、肯定判断なら図柄停止コマンドを画像制御基板４０に送信して特別図柄及びデモ図柄の変動を停止（確定図柄を表示）させる（Ｓ２２２）。
【００５８】
続いて、入れ替えフラグがセットされているか否かを判断し（Ｓ２２３）、これがセットされていれば（Ｓ２２３：ＹＥＳ）、入れ替えフラグ終了処理にてクリアする（Ｓ２２４）。
次に、画像制御基板４０に指示した確定図柄が大当たりになる組合わせ（Ｓ２０９の大当たり図柄）であれば（Ｓ２２５：ＹＥＳ）、確定図柄を一定時間表示させるための確定図柄表示設定処理を行い（Ｓ２２６）、条件装置作動開始処理（大当たり遊技を開始するための処理）を行う（Ｓ２２７）。Ｓ２２５で否定判断のときは確定図柄表示設定処理のみを行う（Ｓ２２８）。
【００５９】
また、前述のＳ２０３で肯定判断（確定図柄表示中）のときは、その表示時間が終了したか否かを判断し（Ｓ２３１）、表示時間が終了していれば（Ｓ２３１：ＹＥＳ）、確定図柄表示終了処理にて画像制御基板４０に指示して確定図柄の表示を終了させる（Ｓ２３２）。
【００６０】
上記の説明から明らかであるが、保留記憶がある場合でも、特別図柄が確定表示されただけでは次の変動は開始されず、特別図柄とデモ図柄の双方が確定表示になり確定図柄表示終了処理が行われてから、次の変動が開始する。
上記の大当たり抽選が当たりで大当たり図柄が確定表示されると特別遊技（大当たり遊技）が実行される。
【００６１】
図７に示すように、主制御基板３０は、特別遊技処理においては、まず条件装置の作動中か否かを判断し（Ｓ３０１）、否定判断なら以下の処理は実行せずにリターンする。
条件装置作動中で（Ｓ３０１：ＹＥＳ）、大入賞口開放中でなく（Ｓ３０２：ＮＯ）、大当たり開始演出中でなく（Ｓ３０３：ＮＯ）、インターバル中でもなく（Ｓ３０４：ＮＯ）、大当たり終了演出中でもなければ（Ｓ３０５：ＮＯ）、すなわち大当たり遊技を開始するタイミングであるから大当たり開始演出処理（Ｓ３０６）を行って、大入賞口２５を開放させる（Ｓ３０７）。また、Ｓ３０３、Ｓ３０４又はＳ３０５で肯定判断のときはリターンする。
【００６２】
Ｓ３０２で肯定判断のときは大入賞口２５への入賞球が１０個になったか否かを判断し（Ｓ３０８）、否定判断なら大入賞口開放時間の終了か否かを判断する（Ｓ３０９）。Ｓ３０９で否定判断ならリターンし、Ｓ３０８又はＳ３０９で肯定判断なら大入賞口２５を閉鎖させる（Ｓ３１０）。
【００６３】
続いて、最終ラウンドであったか否かを判断し（Ｓ３１１）、否定判断なら遊技球が特定領域を通過していたか否かをＶスイッチからの入力信号に基づいて判断する（Ｓ３１２）。肯定判断なら条件装置の作動継続となるので大当たりインターバル処理を行って（Ｓ３１３）、再び大入賞口２５を開放させる（Ｓ３１４）。
【００６４】
Ｓ３１１で肯定判断又はＳ３１２で否定判断のときは条件装置の作動は継続しないので、大当たり終了演出処理（Ｓ３１５）を実行して条件装置停止処理を行う（Ｓ３１６）。
なお、大当たり遊技の終了（条件装置停止処理）に伴って確率設定処理が行われ、大当たり図柄が確変図柄であったときには確変フラグをセットし（確変突入）、確変図柄でなかったなら確変フラグをクリアする。
【００６５】
画像制御基板４０による表示制御は次のように行われる。
図８に示すように、画像制御基板４０は、変動開始コマンドを受信したか否かを判断し（Ｓ４０１）、このコマンドを受信していればＬＣＤパネルユニット１６を制御してＬＣＤパネル１６ａの上表示域４１に「本番」の文字を、下表示域４２に「デモ」の文字を表示させる（Ｓ４０２、図１０（ａ）、図１１（ａ）参照）。「本番」及び「デモ」の文字は域名表示に該当する。なお、上表示域４１の方が下表示域４２よりも大きい。
【００６６】
続いて入れ替えフラグがセットされているか否かを判断し（Ｓ４０３）、入れ替えフラグがセットされていなければ（Ｓ４０３：ＮＯ）通常変動開始処理（Ｓ４０４）を行い、入れ替えフラグがセットされていれば（Ｓ４０３：ＹＥＳ）入れ替え変動開始処理（Ｓ４０５）を行う。
【００６７】
通常変動開始処理（Ｓ４０４）では、ＬＣＤパネルユニット１６を制御して図１０に示すようにＬＣＤパネル１６ａの上表示域４１において特別図柄の変動表示を、下表示域４２においてデモ図柄の変動表示を開始させる。すなわち、上表示域４１が特別図柄表示域であり、下表示域４２がデモ表示域である。図１０はＬＣＤパネル１６ａにおける表示の経時変化を説明する図であり、（ａ）〜（ｄ）の順に表示が変化する。
【００６８】
入れ替え変動開始処理（Ｓ４０５）では、ＬＣＤパネルユニット１６を制御して図１１に示すようにＬＣＤパネル１６ａの上表示域４１においてデモ図柄の変動表示を、下表示域４２において特別図柄の変動表示を開始させる。すなわち、上表示域４１がデモ図柄表示域であり、下表示域４２が特別図柄表示域であって、変動表示の開始時点においてデモ図柄表示域と特別図柄表示域とが通常の配置とは入れ替わっている。なお、図１１も図１０と同様にＬＣＤパネル１６ａにおける表示の経時変化を説明する図であり、（ａ）〜（ｄ）の順に表示が変化する。
【００６９】
そして、通常変動の場合も入れ替え変動の場合も、変動開始コマンドに含まれている特別図柄の変動パターンに応じて特別図柄の変動態様を制御し、同じく変動開始コマンドに含まれているデモパターンに応じてデモ図柄の変動態様を制御する。
【００７０】
特別図柄の変動態様は大当たり図柄であるか否か、リーチになるかならないか等に応じて様々であるが、本実施例においてはデモ図柄の変動態様は全てスーパーリーチが出現する設定である。従って、複数種類あるデモパターンの相互の違いは、スーパーリーチの種類、スーパーリーチに至るまでの経過、スーパーリーチ後の確定図柄、全体の変動時間等の違いとなる。
【００７１】
特別図柄はリーチにもならない確定図柄であることが多いが、例えば図１０（ａ）、図１１（ａ）のように特別図柄もリーチになることがある（デモ図柄もリーチ）。また、図１０（ｂ）、図１１（ｂ）に例示するように特別図柄がスーパーリーチになることがある（デモ図柄もスーパーリーチ）。
【００７２】
変動表示が進行すれば、やがて停止時間が到来する。特別図柄の変動パターンとデモ図柄の変動パターン（デモパターン）とが上述したとおり互いに別々に決定されるので、それぞれの変動時間が一致する（同時に停止時間が到来する）ことは少なく（ときにはあり得る）、大抵は一方が先に停止して他方は変動を継続している場合が多い。図１０（ｃ）の例ではデモ図柄が停止して（確定ではなくて微動している）、特別図柄の変動が継続している。上記の通りデモ図柄は全てスーパーリーチとなるので、図１１（ｃ）に例示するように特別図柄が先に停止（確定ではなくて微動）してデモ図柄の変動が継続中となる方が出現比率は高い。なお、図１１（ｃ）は、入れ替え変動であるので、通常はデモ図柄が表示される下の領域に特別図柄の表示が行なわれている。
【００７３】
変動している側（図１０の例では特別図柄、図１１の例ではデモ図柄）の変動時間が終了すると、前述したとおり主制御基板３０から図柄停止コマンドが送られてくる。図９に示すように、画像制御基板４０は図柄停止コマンドを受信すると（Ｓ４１１：ＹＥＳ）ＬＣＤパネル１６ａに特別図柄及びデモ図柄の変動を停止（確定図柄を表示）させ、入れ替えフラグがセットされているか否かを判断する（Ｓ４１２）。
【００７４】
入れ替えフラグがセットされている場合には、ＬＣＤパネル１６ａの「本番」、「デモ」の表示を入れ替えて表示させる（Ｓ４１３）。すなわち、図１１（ｄ）に例示するように、それまでは上表示域４１（ここではデモ表示域）に「本番」の文字が表示され、下表示域４２（ここでは特別図柄表示域）に「デモ」と表示されていたのであるが（図１１（ａ）〜（ｃ））、その表示が入れ替わって上表示域４１（デモ表示域）に「デモ」の文字が、下表示域４２（特別図柄表示域）に「本番」の文字が表示される。
【００７５】
入れ替えフラグがセットされていないときには「本番」、「デモ」の表示の入れ替えは行われない（図１０（ｄ）参照）。
そして、画像制御基板４０は、特別図柄表示域に「本番」の文字を表示し、デモ表示域に「デモ」の文字を表示した状態（それぞれの表示域を明示した状態）を、上述の確定図柄表示設定（Ｓ２２６又はＳ２２８）から確定図柄終了処理（Ｓ２３２）まで継続させてから、確定図柄終了処理（Ｓ２３２）に応じて「本番」及び「デモ」の文字をＬＣＤパネル１６ａから消去させる（Ｓ４１４）。
【００７６】
このように、特別図柄の変動表示とデモ図柄の変動表示とが上表示域４１と下表示域４２とで並行的に行われるのであるが、遊技者は、どちらが特別図柄でどちらがデモ図柄であるかを、最終的な確定図柄の表示画面を見るまで分からない。
【００７７】
このため、後まで変動していた特別図柄が外れでも、先に停止したデモ図柄が３個同じ図柄で揃っているので、図１１のように、ひょっとしたら入れ替わるのではないかと思い、Ｓ４１４により「本番」及び「デモ」の文字が消去されるまで期待感を維持してＬＣＤパネル１６ａを注目することになる。よって、最後の最後まで遊技者を期待させ、楽しませることができる。
【００７８】
特別図柄の変動表示とデモ図柄の変動表示とが並列的に行われ、またそれぞれの表示域が入れ替わることがあるが、最終的には「本番」、「デモ」の文字によって特別図柄とデモ図柄を明示するので、どちらが特別図柄か分からずに紛らわしくなるおそれはない。
【００７９】
デモ表示には必ずスーパーリーチ（スーパーリーチに発展するまでの経過も含めて）が表示されるので、初心者でもリーチ表示についてよく分るようになり安心して遊技できるし、楽しく遊技できる。また、通常あまり出現しないスーパーリーチを頻繁に見られるから、それだけでも遊技者を楽しませることができる。
【００８０】
しかも、デモ表示として通常と全く同じスーパーリーチばかりが表示される上に特別図柄の変動とデモ表示が入れ替わる可能性があるので、デモ表示が行われている間は常に大当たりへの期待感が持続するから、初心者の人、初心者でない人とも同様に期待感を持続させることができる。
【００８１】
更に、特別図柄表示域とデモ表示域とを入れ替わらせる制御（実際には域名表示を入れ替わらせる制御）を行うので、デモ図柄の変動表示すなわちデモ画面と特別図柄の変動とを一緒に見られるから、時間の無駄がない。また、デモパターンが複数あって、その中から選択したデモパターンに従ってデモ図柄の変動表示が行われるので、同じデモ表示ばかりになって遊技者が飽きるおそれもない。
【００８２】
特別図柄の変動中に行われるデモ表示は、特別図柄の変動パターンと一部又は全てが同じにすれば、両者の見分けが一層困難になり、デモ表示による大当たりへの期待感をより高めることができる。
この実施例では、入れ替えフラグがセットされている場合には、特別図柄の変動表示の開始時において表示域を通常とは逆に上下入れ替えた状態にして、通常は特別図柄表示域となる側をデモ表示域とし、通常はデモ表示域となる側を特別図柄表示域とした状態で特別図柄の変動表示が開始されるので、遊技者が特別図柄と思っていた方がデモ図柄、デモ図柄と思っていた方が特別図柄ということになり、変動表示の終了時にこの関係を「本番」、「デモ」の文字で明示することで最後に遊技者を驚かせることができる。特に、域名表示の入れ替えで大当たりになったときの喜びは極めて大きい。
【００８３】
［変動表示の代表的例］
上記の説明中では詳しく述べなかったが、特別図柄とデモ図柄の変動表示の関係の代表的な例を図１２に示す。
図１２（ａ）に示す例は、特別図柄の変動とデモ図柄の変動とが同じリーチパターン（スーパーリーチ）になる例である。また同じ図柄（ここでは７−７）でリーチになる場合もある。
【００８４】
図１２（ｂ）に示す例は、特別図柄の変動とデモ図柄の変動とがともにスーパーリーチではあるが変動態様が異なる例である。またリーチ図柄も異なっている。
図１２（ｃ）に示す例は、特別図柄の変動はノーマルリーチでデモ図柄の変動がスーパーリーチとなる例である。
【００８５】
図１２（ｄ）に示す例は、特別図柄はリーチにもならない外れであり、デモ図柄はスーパーリーチとなる例で、この組合わせの出現頻度が最も多い。特別図柄はリーチにならないので比較的短い時間で変動が終わってしまうが、デモ図柄の変動は継続し、これが確定表示になるまでは次の変動は始まらない。このため、遊技者は次の変動開始を待つことになるが、入れ替えで大当たりになる可能性があるので遊技者は期待感を維持しながら確定を待つことになる。
【００８６】
［画像制御基板による表示制御の変形例］
この例は、特別図柄とデモ図柄の表示域を入れ替える例である。
変動開始処理は図８を参照して実施例で説明したものと同様で、画像制御基板４０は、変動開始コマンドを受信したか否かを判断し（Ｓ４０１）、このコマンドを受信していればＬＣＤパネルユニット１６を制御してＬＣＤパネル１６ａの上表示域４１に「本番」の文字を、下表示域４２に「デモ」の文字を表示させる（Ｓ４０２、図１４（ａ）参照）。
【００８７】
続いて入れ替えフラグがセットされているか否かを判断し（Ｓ４０３）、入れ替えフラグがセットされていなければ（Ｓ４０３：ＮＯ）通常変動開始処理（Ｓ４０４）を行い、入れ替えフラグがセットされていれば（Ｓ４０３：ＹＥＳ）入れ替え変動開始処理（Ｓ４０５）を行う。実施例と同様に、通常変動開始処理（Ｓ４０４）では、上表示域４１において特別図柄の変動表示を、下表示域４２においてデモ図柄の変動表示を開始させ、入れ替え変動開始処理（Ｓ４０５）では、上表示域４１においてデモ図柄の変動表示を、下表示域４２において特別図柄の変動表示を開始させる。図１４（ａ）に示すのは入れ替え変動開始処理（Ｓ４０５）が行われた場合であり、デモ図柄が変動表示される上表示域４１に「本番」、特別図柄が変動表示される下表示域４２に「デモ」が表示されている。
【００８８】
そして、実施例と同様に、通常変動の場合も入れ替え変動の場合も、変動開始コマンドに含まれている特別図柄の変動パターンに応じて特別図柄の変動態様を制御し、同じく変動開始コマンドに含まれているデモパターンに応じてデモ図柄の変動態様を制御する。
【００８９】
変動表示が進行し、停止時間が到来した方が停止して他方は変動を継続している状態になる。図１４（ｃ）の例では特別図柄が先に停止（確定ではなくて微動）してデモ図柄の変動が継続中（スーパーリーチ）となっている。なお、図１４は、入れ替え変動であるので、図１４（ｃ）では通常はデモ図柄が表示される下の領域に特別図柄の表示が行なわれている。
【００９０】
変動している側（図１４の例ではデモ図柄）の変動時間が終了すると、主制御基板３０から図柄停止コマンドが送られてくる。図１３に示すように、画像制御基板４０は図柄停止コマンドを受信すると（Ｓ４２１：ＹＥＳ）ＬＣＤパネル１６ａに特別図柄及びデモ図柄の変動を停止（確定図柄を表示）させ、入れ替えフラグがセットされているか否かを判断する（Ｓ４２２）。
【００９１】
入れ替えフラグがセットされている場合には、ＬＣＤパネル１６ａの特別図柄表示域とデモ図柄表示域とを入れ替え表示させる（Ｓ４２３）。すなわち、図１４（ｄ）に例示するように、それまでは上表示域４１にデモ図柄が表示され（デモ表示域となっていた）、下表示域４２に特別図柄が表示されていた（特別図柄表示域となっていた）のであるが（図１４（ａ）〜（ｃ））、それが入れ替わって上表示域４１に特別図柄が表示され、下表示域４２デモ図柄が表示される。なお、「本番」及び「デモ」の文字は入れ替え表示されずに、元の位置に表示される。
【００９２】
入れ替えフラグがセットされていないときには表示域の入れ替えは行われない。
そして、画像制御基板４０は、特別図柄表示域（図１４（ｄ）の例では上表示域４１）に「本番」の文字を表示し、デモ表示域（図１４（ｄ）の例では下表示域４２）に「デモ」の文字を表示した状態（それぞれの表示域を明示した状態）を、上述の確定図柄表示設定（Ｓ２２６又はＳ２２８）から確定図柄終了処理（Ｓ２３２）まで継続させてから、確定図柄終了処理（Ｓ２３２）に応じて「本番」及び「デモ」の文字をＬＣＤパネル１６ａから消去させる（Ｓ４２４）。
【００９３】
この変形例のように制御しても、実施例と同様の各効果が得られる。なお、図１４も図１０と同様にＬＣＤパネル１６ａにおける表示の経時変化を説明する図であり、（ａ）〜（ｄ）の順に表示が変化する。
【００９４】
［表示パターン例］
実施例や変形例で示した以外にも、上下の表示域のサイズや「本番」等の文字表示については様々な態様が可能であるので、ここでいくつか例示する。
【００９５】
例えば図１５、図１６に示すように、上表示域４１、下表示域４２のサイズをほぼ等しくしてもよい。なお、図１５も図１６も図１０と同様にＬＣＤパネル１６ａにおける表示の経時変化を説明する図であり、（ａ）〜（ｄ）の順に表示が変化する。
【００９６】
また、図１５に示すように上表示域４１と下表示域４２の域名表示（図１５の例では「本番」、「デモ」）を適宜時間毎に（例えば数秒毎に）入れ替えることもできる。このようにすれば、デモ図柄が大当たり図柄で停止した場合に（特別図柄が大当たり図柄で停止したときも）、大当たり図柄になっている表示域が「本番」で確定することを期待して、最後まで表示に注目する。
【００９７】
或いは、図１６に示すように、変動表示の開始時に域名表示（図１６の例では「本番」、「デモ」）を表示し（図１６（ａ））、変動表示の途中で域名表示を消して（図１６（ｂ）、（ｃ））、最後に特別図柄が表示されている表示域に「本番」を、デモ図柄が表示されている表示域に「デモ」を表示してもよい。
この場合も、図１５の例と同様、遊技者は大当たり図柄になっている表示域に「本番」が表示されることを期待して、最後まで表示に注目する。
【００９８】
また、図示は省略するが、変動開始時において域名表示をせずに最後だけ域名表示をしてもよい。
以上、実施例に従って、本発明の実施の形態について説明したが、本発明はこのような実施例に限定されるものではなく、本発明の要旨を逸脱しない範囲でさまざまに実施できることは言うまでもない。
【００９９】
例えば、実施例ではデモ表示は全てスーパーリーチにしたが、デモ表示の中に例えばスーパーリーチに発展しないリーチパターンやリーチにもならないハズレパターンを設ければ、より一層どちらが特別図柄でどちらがデモ図柄か分からなくなる。
【０１００】
また、入れ替え表示が行われたら必ず大当りになる構成にしてもいいし、入れ替え表示が行われても大当りにならない時があってもよい。言うまでもないが、入れ替え表示が行われずに特別図柄が揃えば通常通り大当りになる。
実施例では特別図柄が変動する際には毎回デモ表示を行う構成としているが、特定時のみデモ表示を行う構成としてもよい。
【０１０１】
特定変動時のみにデモ表示を行う制御にした場合に、デモ表示を行わない時にはデモ表示域をなくして特別図柄表示域だけにしてもよいが、デモ表示を行なう時と領域の大きさを変更せずに、デモ表示域では台の名称であったり、キャラクタの物語りなど、従来のデモ表示と同じ内容を流しておいてもいいし、何も表示させなくてもいい。
【０１０２】
実施例の場合、デモ表示はすべてスーパーリーチなので変動時間が長いが、特別図柄にはリーチにもならないハズレが多いから、デモ表示のほうが変動時間が長くなってしまうことが多い。このような変動時間のアンバランスを解消するために、スーパーリーチの中にリーチにもならないハズレより短い変動のもの若しくは同じ長さのデモ表示パターンを作ればよい。つまり、特別図柄での全くのハズレ＝デモ表示の中で１番変動時間の短いもの＝特別図柄のスーパーリーチの中で１番変動時間の短いもの、とすればよい。
【０１０３】
実施例では始動入賞時に入れ替え表示を行うか否かを判断し、それに応じて表示域の表示位置を決めているが、例えば入れ替え表示を行うか否かの判断ではなく、上か下か、右か左かなど、どちらに特別図柄の変動を表示しどちらにデモ表示を表示させるか表示域の表示位置を決めておき、その決定に従い表示を行う構成としてもよい。
【図面の簡単な説明】
【図１】実施例のパチンコ機の正面図。
【図２】実施例のパチンコ機の遊技盤の正面図。
【図３】実施例のパチンコ機の制御系のブロック図。
【図４】実施例のパチンコ機において主制御基板が実行する入力チェック処理のフローチャート。
【図５】実施例のパチンコ機において主制御基板が実行する当否判定処理の一部のフローチャート。
【図６】実施例のパチンコ機において主制御基板が実行する当否判定処理の他の一部のフローチャート。
【図７】実施例のパチンコ機において主制御基板が実行する特別遊技処理のフローチャート。
【図８】実施例のパチンコ機において画像御基板が実行する変動開始処理のフローチャート。
【図９】実施例のパチンコ機において画像御基板が実行する変動終了処理のフローチャート。
【図１０】図８、図９の処理で入れ替え表示が行われない場合の説明図。
【図１１】図８、図９の処理で入れ替え表示が行われる場合の説明図。
【図１２】変動表示の代表的例の説明図。
【図１３】画像御基板が実行する変動終了処理の変形例のフローチャート。
【図１４】図１３の処理で入れ替え表示が行われる場合の説明図。
【図１５】表示パターン例の説明図。
【図１６】表示パターン例の説明図。
【符号の説明】
１０　　　　遊技盤
１３　　　　遊技領域
１５　　　　図柄表示装置（表示手段）
１６　　　　ＬＣＤパネルユニット（表示手段）
１６ａ　　ＬＣＤパネル（表示手段）
２２　　　　普通電動役物（始動領域）
２５　　　　大入賞口
３０　　　　主制御基板（抽選手段、図柄決定手段、デモパターン選択手段、表示位置決定手段、入れ替え制御手段）
４０　　　　画像制御基板（表示制御手段、デモ制御手段）
４１　　　　上表示域
４２　　　　下表示域
５０　　　　パチンコ機（弾球遊技機）
【図１】
2004129770.tif 000003
【図２】
2004129770.tif 000004
【図３】
2004129770.tif 000005
【図４】
2004129770.tif 000006
【図５】
2004129770.tif 000007
【図６】
2004129770.tif 000008
【図７】
2004129770.tif 000009
【図８】
2004129770.tif 000010
【図９】
2004129770.tif 000011
【図１０】
2004129770.tif 000012
【図１１】
2004129770.tif 000013
【図１２】
2004129770.tif 000014
【図１３】
2004129770.tif 000015
【図１４】
2004129770.tif 000016
【図１５】
2004129770.tif 000017
【図１６】
2004129770.tif 000018